(57)【特許請求の範囲】
【請求項１】
前扉に配設された飲料選択ボタンで選択されたカップ飲料が調製されると飲料取出口の扉板を開き、前記飲料取出口から前記カップ飲料が取り出されると前記扉板を閉じるカップ式飲料自動販売機において、
前記飲料選択ボタンは、第１飲料選択ボタン群と、該第１飲料選択ボタン群より下方で前記前扉の中央より下部に配設された第２飲料選択ボタン群とから構成され、
前記第１飲料選択ボタン群で選択されたカップ飲料が前記飲料取出口から取り出されると前記扉板を閉じるまでの時間より、前記第２飲料選択ボタン群で選択されたカップ飲料が前記飲料取出口から取り出されると前記扉板を閉じるまでの時間を所定時間長くする制御手段を設けたことを特徴とするカップ式飲料自動販売機。
【請求項２】
前記第２飲料選択ボタン群には、選択する飲料をホット飲料と指定するホット飲料指定ボタンと、アイス飲料と指定するアイス飲料指定ボタンとを備えていることを特徴とする請求項１に記載のカップ式飲料自動販売機。
【請求項３】
前記飲料選択ボタンで選択する飲料見本表示を切り替え可能とした飲料見本表示部と、該飲料見本表示部の飲料見本表示を切り替える飲料見本切替ボタンとを備えていることを特徴とする請求項１に記載のカップ式飲料自動販売機。
【発明の詳細な説明】
【技術分野】
【０００１】
本発明は、飲料選択ボタンで選択されたカップ飲料が調製されると飲料取出口の扉板を開き、飲料取出口からカップ飲料が取り出されると扉板を閉じるカップ式飲料自動販売機に関する。
【背景技術】
【０００２】
従来、飲料選択ボタンで選択されたコーヒーやソフトドリンクなどの各種飲料を機器筐体内で調製してカップで販売するカップ式飲料自動販売機が知られている。例えば、図７に示すカップ式飲料自動販売機５０は、機器筐体（図示せず）に開閉可能に取り付けられた前扉３の外表面上部に、複数の飲料見本表示部４、飲料見本表示部４毎に設けられたホット飲料選択ボタン５、アイス飲料選択ボタン６、中央部には、砂糖やミルク、コーヒー原料の増減ボタン８、硬貨投入口９、硬貨返却レバー１０、紙幣挿入口１１、表示部１２、扉ロック１３、飲料取出口１４、飲料取出口１４の開口を電動で開閉する扉板１５、その右下には釣銭返却口１９が配設され、販売待機時、および飲料調製動作中は飲料取出口１４を扉板１５で閉じて外部から手が差し入れられないようにしている（例えば、特許文献１参照）。
【先行技術文献】
【特許文献】
【０００３】
【特許文献１】特開２００２−２４５５３９号公報
【発明の概要】
【発明が解決しようとする課題】
【０００４】
ところで、上述したようなカップ式飲料自動販売機の飲料選択ボタンは前扉の中央より上部に配設されているため、子供や車椅子使用者などの利用者がカップ飲料を購入する場合、無理な姿勢で手を伸ばして飲料選択ボタンを押すか、他の人の助けを借りて購入するしかなく、このため、子供や車椅子使用者などの人々にとってはカップ飲料が購入しにくいという問題があった。また、飲料取出口に完成したカップ飲料を取り出す際に時間がかかると扉板が閉じてしまい、手を挟む、飲料をこぼすなどの虞があった。
【０００５】
本発明は、以上のような課題を解決するためになされたものであり、誰でもカップ飲料を購入しやすいカップ式飲料自動販売機を提供することを目的とする。
【課題を解決するための手段】
【０００６】
上記の目的を達成するために、本発明の請求項１に係るカップ式飲料自動販売機は、前扉に配設された飲料選択ボタンで選択されたカップ飲料が調製されると飲料取出口の扉板を開き、前記飲料取出口から前記カップ飲料が取り出されると前記扉板を閉じるカップ式飲料自動販売機において、
前記飲料選択ボタンは、第１飲料選択ボタン群と、該第１飲料選択ボタン群より下方で前記前扉の中央より下部に配設された第２飲料選択ボタン群とから構成され、
前記第１飲料選択ボタン群で選択されたカップ飲料が前記飲料取出口から取り出されると前記扉板を閉じるまでの時間より、前記第２飲料選択ボタン群で選択されたカップ飲料が前記飲料取出口から取り出されると前記扉板を閉じるまでの時間を所定時間長くする制御手段を設けたことを特徴とする。
【０００７】
また、本発明の請求項２に係るカップ式飲料自動販売機は、上述した請求項１において、前記第２飲料選択ボタン群には、選択する飲料をホット飲料と指定するホット飲料指定ボタンと、アイス飲料と指定するアイス飲料指定ボタンとを備えていることを特徴とする。
【０００８】
また、本発明の請求項３に係るカップ式飲料自動販売機は、上述した請求項１において、前記飲料選択ボタンで選択する飲料見本表示を切り替え可能とした飲料見本表示部と、該飲料見本表示部の飲料見本表示を切り替える飲料見本切替ボタンとを備えていることを特徴とする。
【発明の効果】
【０００９】
請求項１の発明によれば、前扉に配設された飲料選択ボタンで選択されたカップ飲料が調製されると飲料取出口の扉板を開き、前記飲料取出口から前記カップ飲料が取り出されると前記扉板を閉じるカップ式飲料自動販売機において、前記飲料選択ボタンは、第１飲料選択ボタン群と、該第１飲料選択ボタン群より下方で前記前扉の中央より下部に配設された第２飲料選択ボタン群とから構成され、前記第１飲料選択ボタン群で選択されたカップ飲料が前記飲料取出口から取り出されると前記扉板を閉じるまでの時間より、前記第２飲料選択ボタン群で選択されたカップ飲料が前記飲料取出口から取り出されると前記扉板を閉じるまでの時間を所定時間長くする制御手段を設けたことにより、子供や車椅子使用者などの人々がカップ飲料を購入するとき、第１飲料選択ボタン群より下方で前扉の中央より下部に配設された第２飲料選択ボタン群を使用して所望する飲料を選択することができるので、無理な姿勢で手を伸ばして飲料選択ボタンを押したり、他の人の助けを借りて飲料を購入する必要がなくなり、また、第２飲料選択ボタン群を使用して所望する飲料を選択することにより、飲料取出口に完成したカップ飲料を取り出してから扉板が閉じられるまでの時間が所定時間長くなるので、手を挟むことや飲料をこぼすことなどがなくなり、誰でもカップ飲料を購入しやすいカップ式飲料自動販売機を提供することが可能となる。
【００１０】
また、請求項２の発明によれば、前記第２飲料選択ボタン群には、選択する飲料をホット飲料と指定するホット飲料指定ボタンと、アイス飲料と指定するアイス飲料指定ボタンとを備えていることにより、第２飲料選択ボタン群の選択ボタン数を第１飲料選択ボタン群の選択ボタン数より少なくすることができ、第２飲料選択ボタン群の配設位置の自由度が拡大するので、誰でもカップ飲料を購入しやすいカップ式飲料自動販売機を提供することが容易となる。
【００１１】
また、請求項３の発明によれば、前記飲料選択ボタンで選択する飲料見本表示を切り替え可能とした飲料見本表示部と、該飲料見本表示部の飲料見本表示を切り替える飲料見本切替ボタンとを備えていることにより、第２飲料選択ボタン群の選択ボタン数を第１飲料選択ボタン群の選択ボタン数より少なくすることができ、第２飲料選択ボタン群の配設位置の自由度が拡大するので、誰でもカップ飲料を購入しやすいカップ式飲料自動販売機を提供することが容易となる。
【図面の簡単な説明】
【００１２】
【図１】本発明の実施の形態１に係るカップ式飲料自動販売機の正面概要図
【図２】図１に示したカップ式飲料自動販売機の前扉を開いた正面概要図
【図３】図１に示したカップ式飲料自動販売機の制御ブロック図
【図４】図１に示したカップ式飲料自動販売機のタイミングチャート図
【図５】本発明の実施の形態２に係るカップ式飲料自動販売機の正面概略図
【図６】図５に示したカップ式飲料自動販売機の制御ブロック図
【図７】従来のカップ式飲料自動販売機の正面概要図
【発明を実施するための形態】
【００１３】
以下、図面を参照しながら、本発明に係るカップ式飲料自動販売機の好適な実施の形態について詳細に説明する。なお、この実施の形態によりこの発明が限定されるものではない。また、従来と同一構成に関しては同一符号を用いる。
（実施の形態１）
図１は、本発明の実施の形態１に係るカップ式飲料自動販売機の正面概要図、図２は、図１に示したカップ式飲料自動販売機の前扉を開いた正面概要図である。
【００１４】
カップ式飲料自動販売機１は、コーヒーやソフトドリンクなどの各種飲料をカップで販売する自動販売機である。機器筐体２（図２参照）に開閉可能に取り付けられた前扉３の外表面上部には、複数の飲料見本表示部４、飲料見本表示部４毎に設けられたホット飲料選択ボタン５（第１飲料選択ボタン群）、アイス飲料選択ボタン６（第１飲料選択ボタン群）、ポスターパネル７が配設されている。また、前扉３の外表面中央部には、砂糖やミルク、コーヒー原料の増減ボタン８、硬貨投入口９、硬貨返却レバー１０、紙幣挿入口１１、表示部１２、扉ロック１３、飲料取出口１４、扉板開閉モータ１５ｍ（図３参照）が駆動されると飲料取出口１４の開口を開閉する扉板１５が配設されている。
【００１５】
さらに、前扉３の外表面の中央より下部には、複数の飲料見本表示部１７、飲料見本表示部１７毎に設けられた飲料選択ボタン１８（第２飲料選択ボタン群）、飲料選択ボタン１８で飲料を選択する前に押し（先押し）、飲料選択ボタン１８で選択する飲料をホット飲料と指定するホット飲料指定ボタン１６ａ（第２飲料選択ボタン群）、同じくアイス飲料と指定するアイス飲料指定ボタン１６ｂ（第２飲料選択ボタン群）、その右下には釣銭返却口１９が配設されている。
【００１６】
機器筐体２の内部には、複数の同一形状のカップを縦方向に積層して収容し、最下部のカップから順次払い出すカップ供給部２１、カップ供給部２１から供給されたカップを載置して保持するカップ載置部２２、カップを保持したカップ載置部２２を搬送するカップ搬送部２３、飲料原料のコーヒー豆を収容しているコーヒー豆キャニスタ２４、砂糖、クリーム、ココアなどの粉末原料を収容している粉末原料キャニスタ２５、飲料の調製に使用する温水を貯留している温水タンク２６、コーヒー豆キャニスタ２４から供給されたコーヒー豆をミル２７で挽いた挽き豆に温水タンク２６から供給される温水でコーヒー液を抽出するコーヒーブリュア（コーヒー液抽出機）２８、アイス飲料を販売するときに使用する氷を製造して貯蔵している氷供給部２９、カップに供給された砂糖、クリーム、コーヒー液などに攪拌羽根を挿入して回転させて攪拌する飲料攪拌部３０などが備えられている。
【００１７】
図３は、カップ式飲料自動販売機１の制御ブロック図を示し、カップ式飲料自動販売機１での飲料の調製などを制御する制御部（制御手段）９０は、中央処理装置としてのＣＰＵ９１、ＣＰＵ９１の制御プログラムを格納するＲＯＭ（リード・オンリー・メモリ）９２、ＣＰＵ９１の制御に必要な各種のプログラムやデータを随時記憶するＲＡＭ（ランダム・アクセス・メモリ）９３、基準クロック発生部（図示せず）で発生するクロックをカウントして各種時刻（例えば、カップ飲料が飲料取出口１４から取り出されたことをカップセンサ９７が検知してから扉板開閉モータ１５ｍを駆動して扉板１５を閉じるまでの時間）を計時するタイマー９４、カップ式飲料自動販売機１に備えられている各機器に通電する電力回路を有する通電部９５から構成されている。
【００１８】
また、制御部９０には、カップ式飲料自動販売機１の各種設定データを入力するキーボード９６、カップ式飲料自動販売機１の利用者が購入する飲料を選択する第１飲料選択ボタン群（ホット飲料選択ボタン５、アイス飲料選択ボタン６）、第２飲料選択ボタン群（ホット飲料指定ボタン１６ａ、アイス飲料指定ボタン１６ｂ、飲料選択ボタン１８）、飲料取出口１４に設けられ、カップ飲料が調製されて飲料取出口１４に完成したことや、飲料取出口１４からカップ飲料が取り出されたことを検知して制御部９０に信号を出力するカップセンサ９７などが接続されている。
【００１９】
さらに、制御部９０には、扉板１５を電動で開閉する扉板開閉モータ１５ｍ、カップ供給部２１に設けられてカップを払い出すカップ払い出しモータ２１ｍ、カップ搬送部２３に設けられてカップを保持したカップ載置部２２を搬送するカップ搬送モータ２３ｍなどが接続されている。
【００２０】
係る構成で、カップ式飲料自動販売機１の利用者により前扉３に配設された何れかの飲料選択ボタンで選択されたカップ飲料が調製されると飲料取出口１４の扉板１５を開き、利用者により飲料取出口１４からカップ飲料が取り出されると扉板１５を閉じる制御を図４のタイミングチャート図を用いて説明する。先ず、カップ式飲料自動販売機１の利用者が硬貨投入口９に硬貨を投入すると、投入した硬貨金額で購入可能なホット飲料選択ボタン５およびアイス飲料選択ボタン６が点灯して飲料見本表示部４で示される飲料を購入可能であることが表示される。原料増減を行える飲料を購入する場合、原料増減ボタン８で自分の好みに応じて操作した後、所望のホット飲料選択ボタン５またはアイス飲料選択ボタン６を押す。
【００２１】
例えば、ホット飲料選択ボタン５を押してホットコーヒーを選択した場合、制御部９０はカップ供給部２１のカップ払い出しモータ２１ｍに通電してカップを払い出し、払い出されたカップはカップ載置部２２に保持され、選択された飲料を調製する順序でカップ搬送部２３のカップ搬送モータ２３ｍに通電して順次搬送し、コーヒーブリュア２８で抽出されたコーヒー液に砂糖、クリームが添加されることにより調製されて完成したカップ飲料が飲料取出口１４まで搬送される。
【００２２】
飲料取出口１４に完成したカップ飲料が搬送されると、図４（ａ）のタイミングチャート図に示すように、カップセンサ９７がカップ飲料を検知してカップ有り信号を制御部９０に出力する。制御部９０は、扉板開閉モータ１５ｍを駆動して飲料取出口１４の扉板１５を開く。そして、利用者が飲料取出口１４からカップ飲料を取り出すと、カップセンサ９７は飲料取出口１４にカップ飲料が無くなったことを検知してカップ無し信号を制御部９０に出力する。制御部９０は、カップセンサ９７からカップ無し信号を受けてから時間Ｔ１（例えば、２秒間）経過すると扉板開閉モータ１５ｍを駆動して飲料取出口１４の扉板１５を閉じることでカップ式飲料自動販売機１の飲料販売動作が終了する。
【００２３】
また、子供や車椅子使用者などの利用者が硬貨投入口９に硬貨を投入して購入可能な飲料のホット飲料指定ボタン１６ａまたはアイス飲料指定ボタン１６ｂを押してホット飲料またはアイス飲料を指定してから飲料選択ボタン１８を押すと、制御部９０はカップ供給部２１のカップ払い出しモータ２１ｍに通電してカップを払い出し、払い出されたカップはカップ載置部２２に保持され、選択された飲料を調製する順序でカップ搬送部２３のカップ搬送モータ２３ｍに通電して順次搬送し、調製されて完成したカップ飲料が飲料取出口１４まで搬送される。
【００２４】
飲料取出口１４に完成したカップ飲料が搬送されると、図４（ｂ）のタイミングチャート図に示すように、カップセンサ９７がカップ飲料を検知してカップ有り信号を制御部９０に出力する。制御部９０は、扉板開閉モータ１５ｍを駆動して飲料取出口１４の扉板１５を開く。そして、利用者が飲料取出口１４からカップ飲料を取り出すと、カップセンサ９７は飲料取出口１４にカップ飲料が無くなったことを検知してカップ無し信号を制御部９０に出力する。制御部９０は、カップセンサ９７からカップ無し信号を受けてから時間Ｔ２（例えば、５秒間）経過すると扉板開閉モータ１５ｍを駆動して飲料取出口１４の扉板１５を閉じることでカップ式飲料自動販売機１の飲料販売動作が終了する。
【００２５】
このように、前扉に配設された飲料選択ボタンで選択されたカップ飲料が調製されると飲料取出口の扉板を開き、飲料取出口からカップ飲料が取り出されると扉板を閉じるカップ式飲料自動販売機において、飲料選択ボタンを、第１飲料選択ボタン群（ホット飲料選択ボタン５、アイス飲料選択ボタン６）と、第１飲料選択ボタン群より下方で前扉の中央より下部に配設された第２飲料選択ボタン群（ホット飲料指定ボタン１６ａ、アイス飲料指定ボタン１６ｂ、飲料選択ボタン１８）とから構成し、ホット飲料選択ボタン５、またはアイス飲料選択ボタン６で選択されたカップ飲料が飲料取出口１４から取り出されると扉板開閉モータ１５ｍを駆動して扉板１５を閉じるまでの時間より、ホット飲料指定ボタン１６ａまたはアイス飲料指定ボタン１６ｂを押してホット飲料またはアイス飲料を指定してから飲料選択ボタン１８で選択されたカップ飲料が飲料取出口１４から取り出されると扉板開閉モータ１５ｍを駆動して扉板１５を閉じるまでの時間を所定時間（例えば、３秒間）長くする制御部９０を設けたことにより、子供や車椅子使用者などの利用者がカップ飲料を購入するとき、第１飲料選択ボタン群より下方で前扉の中央より下部に配設された第２飲料選択ボタン群を使用して所望する飲料を選択することができるので、無理な姿勢で手を伸ばして飲料選択ボタンを押したり、他の人の助けを借りて飲料を購入する必要がなくなり、また、第２飲料選択ボタン群を使用して所望する飲料を選択することにより、飲料取出口に完成したカップ飲料を取り出してから扉板が閉じられるまでの時間が所定時間長くなるので、手を挟むことや飲料をこぼすことなどがなくなり、誰でもカップ飲料を購入しやすいカップ式飲料自動販売機を提供することが可能となる。
（実施の形態２）
つぎに、本発明の実施の形態２に係るカップ式飲料自動販売機について図５および図６を参照して詳細に説明する。なお、実施の形態１と同一構成に関しては同一符号を用いる。実施の形態１では、第２飲料選択ボタン群には、選択する飲料をホット飲料と指定するホット飲料指定ボタンとアイス飲料と指定するアイス飲料指定ボタンとを備えているが、この実施の形態２では、飲料選択ボタンで選択する飲料見本表示を切り替え可能とした飲料見本表示部と、該飲料見本表示部の飲料見本表示を切り替える飲料見本切替ボタンとを備えている。
【００２６】
図５は、本発明の実施の形態２に係るカップ式飲料自動販売機の正面概略図である。カップ式飲料自動販売機４０は、機器筐体（図示せず）に開閉可能に取り付けられた前扉３の外表面上部には、複数の飲料見本表示部４、飲料見本表示部４毎に設けられたホット飲料選択ボタン５（第１飲料選択ボタン群）、アイス飲料選択ボタン６（第１飲料選択ボタン群）が配設されている。また、前扉３の外表面中央部には、砂糖やミルク、コーヒー原料の増減ボタン８、硬貨投入口９、硬貨返却レバー１０、紙幣挿入口１１、表示部１２、扉ロック１３、飲料取出口１４、扉板開閉モータ１５ｍ（図６参照）が駆動されると飲料取出口１４の開口を開閉する扉板１５が配設されている。飲料見本表示部４は、第１段飲料見本表示部４−１、第２段飲料見本表示部４−２、第３段飲料見本表示部４−３、第４段飲料見本表示部４−４と複数の飲料見本表示部から構成され、それぞれ異なる飲料見本が表示されている。
【００２７】
さらに、前扉３の外表面の中央より下部には、飲料見本表示を切り替え表示可能とした飲料見本表示部４２、飲料見本表示部４２毎に設けられたホット飲料選択ボタン４３（第２飲料選択ボタン群）、アイス飲料選択ボタン４４（第２飲料選択ボタン群）、飲料見本表示部４２の飲料見本表示およびホット飲料選択ボタン４３、アイス飲料選択ボタン４４の選択飲料を切り替える飲料見本切替ボタン４１−１、４１−２、４１−３、４１−４（第２飲料選択ボタン群）を備え、その右下には釣銭返却口１９が配設されている。飲料見本表示部４２は、例えば、表示機器として液晶ディスプレイ（ＬＣＤ）を用いて飲料見本を表示し、飲料見本切替ボタン４１−１が押されると飲料見本表示部４２には第１段飲料見本表示部４−１に表示されている飲料見本が表示され、ホット飲料選択ボタン４３およびアイス飲料選択ボタン４４も第１段飲料見本表示部４−１に表示されている飲料見本に対応させた飲料が選択できるように切り替えられる。
【００２８】
また、飲料見本切替ボタン４１−２が押されると飲料見本表示部４２には第２段飲料見本表示部４−２に表示されている飲料見本が表示され、ホット飲料選択ボタン４３およびアイス飲料選択ボタン４４も第２段飲料見本表示部４−２に表示されている飲料見本に対応させた飲料が選択できるように切り替えられる。飲料見本切替ボタン４１−３、飲料見本切替ボタン４１−４が押された場合も同様である。
【００２９】
図６は、カップ式飲料自動販売機４０の制御ブロック図を示し、図３に示す実施の形態１の構成とは、第２飲料選択ボタン群および飲料見本表示部が異なり、制御部９０には、飲料見本切替ボタン４１−１、４１−２、４１−３、４１−４、ホット飲料選択ボタン４３、アイス飲料選択ボタン４４、液晶ディスプレイ（ＬＣＤ）などを用いて飲料見本を表示する飲料見本表示部４２などが接続されている。
【００３０】
係る構成で、カップ式飲料自動販売機４０の利用者が硬貨投入口９に硬貨を投入すると、投入した硬貨金額で購入可能なホット飲料選択ボタン５およびアイス飲料選択ボタン６が点灯して飲料見本表示部４で示される飲料を購入可能であることが表示される。原料増減を行える飲料を購入する場合、原料増減ボタン８で自分の好みに応じて操作した後、所望のホット飲料選択ボタン５またはアイス飲料選択ボタン６を押す。
【００３１】
例えば、ホット飲料選択ボタン５を押してホットコーヒーを選択した場合、制御部９０はカップ供給部２１のカップ払い出しモータ２１ｍに通電してカップを払い出し、払い出されたカップはカップ載置部２２に保持され、選択された飲料を調製する順序でカップ搬送部２３のカップ搬送モータ２３ｍに通電して順次搬送し、コーヒーブリュア２８で抽出されたコーヒー液に砂糖、クリームが添加されることにより調製されて完成したカップ飲料が飲料取出口１４まで搬送される。
【００３２】
飲料取出口１４に完成したカップ飲料が搬送されると、図４（ａ）のタイミングチャート図に示すように、カップセンサ９７がカップ飲料を検知してカップ有り信号を制御部９０に出力する。制御部９０は、扉板開閉モータ１５ｍを駆動して飲料取出口１４の扉板１５を開く。そして、利用者が飲料取出口１４からカップ飲料を取り出すと、カップセンサ９７は飲料取出口１４にカップ飲料が無くなったことを検知してカップ無し信号を制御部９０に出力する。制御部９０は、カップセンサ９７からカップ無し信号を受けてから時間Ｔ１（例えば、２秒間）経過すると扉板開閉モータ１５ｍを駆動して飲料取出口１４の扉板１５を閉じることでカップ式飲料自動販売機１の飲料販売動作が終了する。
【００３３】
また、子供や車椅子使用者などの利用者が硬貨投入口９に硬貨を投入して飲料見本切替ボタン４１−１、４１−２、４１−３、４１−４の何れか、例えば、飲料見本切替ボタン４１−２を押すと、飲料見本表示部４２には第２段飲料見本表示部４−２に表示されている飲料見本が表示され、ホット飲料選択ボタン４３およびアイス飲料選択ボタン４４も第２段飲料見本表示部４−２に表示されている飲料見本に対応させた飲料が選択できるように切り替わる。そして購入可能なホット飲料選択ボタン４３またはアイス飲料選択ボタン４４を押すと、制御部９０はカップ供給部２１のカップ払い出しモータ２１ｍに通電してカップを払い出し、払い出されたカップはカップ載置部２２に保持され、選択された飲料を調製する順序でカップ搬送部２３のカップ搬送モータ２３ｍに通電して順次搬送し、調製されて完成したカップ飲料が飲料取出口１４まで搬送される。
【００３４】
飲料取出口１４に完成したカップ飲料が搬送されると、図４（ｂ）のタイミングチャート図に示すように、カップセンサ９７がカップ飲料を検知してカップ有り信号を制御部９０に出力する。制御部９０は、扉板開閉モータ１５ｍを駆動して飲料取出口１４の扉板１５を開く。そして、利用者が飲料取出口１４からカップ飲料を取り出すと、カップセンサ９７は飲料取出口１４にカップ飲料が無くなったことを検知してカップ無し信号を制御部９０に出力する。制御部９０は、カップセンサ９７からカップ無し信号を受けてから時間Ｔ２（例えば、５秒間）経過すると扉板開閉モータ１５ｍを駆動して飲料取出口１４の扉板１５を閉じることでカップ式飲料自動販売機４０の飲料販売動作が終了する。
【００３５】
このように、第２飲料選択ボタン群を飲料見本切替ボタン４１−１、４１−２、４１−３、４１−４、ホット飲料選択ボタン４３、アイス飲料選択ボタン４４で構成し、液晶ディスプレイ（ＬＣＤ）などを用いて飲料見本を表示する飲料見本表示部４２を飲料見本切替ボタン４１−１、４１−２、４１−３、４１−４で切り替えるようにしても、子供や車椅子使用者など、誰でもカップ飲料を購入しやすいカップ式飲料自動販売機を提供することが可能となる。
【００３６】
なお、飲料見本切替ボタン４１−１、４１−２、４１−３、４１−４を押す順序は、硬貨投入口９に硬貨を投入する前に押すようにしてもよい。
また、カップ飲料が飲料取出口１４から取り出されたことをカップセンサ９７が検知してから扉板開閉モータ１５ｍを駆動して飲料取出口１４の扉板１５を閉じ始めるまでの時間は、キーボード９６を操作して任意の時間に変更することができる。
【００３７】
さらに、第２飲料選択ボタン群を操作して購入する飲料を選択する場合には、購入可能な飲料を表示する飲料選択ボタンの点灯照度を明るくしたり、音声でボタン操作をガイドするようにしてもよい。
【符号の説明】
【００３８】
１      カップ式飲料自動販売機
３      前扉
４      飲料見本表示部
５      ホット飲料選択ボタン（第１飲料選択ボタン群）
６      アイス飲料選択ボタン（第１飲料選択ボタン群）
１４      飲料取出口
１５      扉板
１６ａ    ホット飲料指定ボタン（第２飲料選択ボタン群）
１６ｂ    アイス飲料指定ボタン（第２飲料選択ボタン群）
１８      飲料選択ボタン（第２飲料選択ボタン群）
４０      カップ式飲料自動販売機
４１−１  飲料見本切替ボタン（第２飲料選択ボタン群）
４１−２  飲料見本切替ボタン（第２飲料選択ボタン群）
４１−３  飲料見本切替ボタン（第２飲料選択ボタン群）
４１−４  飲料見本切替ボタン（第２飲料選択ボタン群）
４２      飲料見本表示部
４３      ホット飲料選択ボタン（第２飲料選択ボタン群）
４４      アイス飲料選択ボタン（第２飲料選択ボタン群）
９０      制御部（制御手段）
９７      カップセンサ
【図１】
0005488075.tif 000002
【図２】
0005488075.tif 000003
【図３】
0005488075.tif 000004
【図４】
0005488075.tif 000005
【図５】
0005488075.tif 000006
【図６】
0005488075.tif 000007
【図７】
0005488075.tif 000008